(57)【要約】【課題】  筐体内への水の吹き上がりや害虫の侵入を防止しつつ、筐体内に生じた結露による水を筐体の外部に確実に排出させることが可能な排水構造を提供する。【解決手段】  筐体１の下部に、筐体１の内部と外部とを連通する連通路２７を形成し、連通路２７を筐体１の下部に溜まった結露による水Ｗ１、Ｗ２を毛細管現象により筐体１の外部へ排出させる溝２７ａ〜２７ｄから構成する。【選択図】  図１
2010177616.tif 000002
【特許請求の範囲】
【請求項１】
屋外に設置される筐体に設けられる排水構造であって、前記筐体の下部に、前記筐体の内部と外部とを連通する連通路を形成し、前記連通路を前記筐体の下部に溜まった結露による水を毛細管現象により前記筐体の外部へ排出させる溝から構成したことを特徴とする排水構造。
【請求項２】
前記筐体の内壁面には、前記筐体の内部に生じた結露による水を前記内壁面に沿って前記連通路に導く導水経路が形成されていることを特徴とする請求項１に記載の排水構造。
【発明の詳細な説明】
【技術分野】
【０００１】
この発明は、屋外に設置されている筐体の内部に生じた結露を筐体外に排出させる排水構造に関する。
【背景技術】
【０００２】
屋外に設置されている筐体内に結露が発生すると、筐体内の機器に障害が生じる場合がある。このため、筐体内の電子部品などに結露による水が滴下するのを防止するといる筐体構造が知られている（例えば、特許文献１参照。）。この構造では、筐体内の天井面を傾斜面に形成し、天井面に生じた結露による水滴を傾斜面によって移動させることにより、天井面の直下に位置するプリント基板に結露による水が滴下するのを防止している。
【先行技術文献】
【特許文献】
【０００３】
【特許文献１】特開２００３−２２９６７８号公報
【発明の概要】
【発明が解決しようとする課題】
【０００４】
しかし、上記特許文献１の筐体構造では、結露による水を筐体外に排出するための水抜き孔が形成されているが、筐体内の水を積極的に排出させるために水抜き孔の流路断面積を大に確保すると、暴風雨の際に筐体内に雨が吹き込むという問題や、小さな害虫などが筐体内に侵入し、筐体内の機器に障害を与えるといる問題が生じる。一方、結露による水の排出させるための通路の流路断面積を著しく絞ると、次のような問題が生じる。第一に、筐体内に結露による水が溜まり易くなり、筐体内部の湿度の上昇により筐体内の機器に障害を与えることになる。第二に、急激な気温の変化などによって筐体内部の圧力が急激に下がった場合、排水通路を介して筐体内に急激に流入する外気によって筐体内に溜まっている水が吹き上がり、筐体内の機器に障害を与えることになる。
【０００５】
そこでこの発明は、筐体内への水の吹き上がりや害虫の侵入を防止しつつ、筐体内に生じた結露による水を筐体の外部に確実に排出させることが可能な排水構造を提供することを目的とする。
【課題を解決するための手段】
【０００６】
上記目的を達成するために請求項１に記載の発明は、屋外に設置される筐体に設けられる排水構造であって、前記筐体の下部に、前記筐体の内部と外部とを連通する連通路を形成し、前記連通路を前記筐体の下部に溜まった結露による水を毛細管現象により前記筐体の外部へ排出させる溝から構成したことを特徴とする排水構造である。
【０００７】
この発明によれば、筐体の内部に生じた結露による水は自重によって筐体の下部に流下し、筐体の下部に溜まった結露による水は、連通路の溝による毛細管現象により外部に排出される。
【０００８】
請求項２に記載の発明は、請求項１に記載の排水構造において、前記筐体の内壁面には、前記筐体の内部に生じた結露による水を前記内壁面に沿って前記連通路に導く導水経路が形成されていることを特徴としている。
【発明の効果】
【０００９】
請求項１に記載の発明によれば、筐体内に生じた結露による水を溝による毛細管現象により外部に排出させるようにしているので、筐体内の水の排出を積極的に行うことが可能となり、筐体内の機器の劣化や障害を防止することができる。また、溝の流路断面積は、毛細管現象が生じる程度に狭小になるので、筐体内への水の吹き上がりや害虫の侵入を防止することができる。さらに、連通路を溝から構成することにより、連通路を機械加工や成型などによって容易に形成することができ、製造コストの低減が可能となる。
【００１０】
請求項２に記載の発明によれば、筐体内に生じた結露による水を内壁面に沿って円滑に連通路に導くことができるので、筐体の内壁面に水が滞留するのを抑制でき、水の排出効果を高めることができる。
【図面の簡単な説明】
【００１１】
【図１】本発明の実施の形態に係わる排水構造を備えた筐体の斜視図である。
【図２】図１の筐体における連通路の拡大正面図である。
【図３】図２の連通路における水の外部への排出状態を示す斜視図である。
【図４】図２の連通路における外気の筐体内への流入状態を示す斜視図である。
【図５】図１の筐体の正面図である。
【図６】図５のＡ−Ａ線に沿う断面図である。
【図７】図１の筐体における水溜り部の拡大断面図である。
【図８】図１の筐体の蓋を閉じた状態を示す斜視図である。
【発明を実施するための形態】
【００１２】
つぎに、この発明の実施の形態について図面を用いて詳しく説明する。
【００１３】
図１ないし図８は、この発明の実施の形態を示している。図１に示すように、筐体１はほぼ密閉された箱状をしており、例えば無線機の筐体として使用される。筐体１は、機器などが取付けられる筐体本体１０と、筐体本体１０の開口部を覆う蓋２０を有している。筐体本体１０および蓋２０は、例えばアルミニウム合金や合成樹脂などから構成されており、機械加工や成型などにより製造される。蓋２０のヒンジ２５は、筐体本体１０の側面部に設けられた一対のヒンジ１６と回動可能に連結されており、これにより蓋２０は筐体本体１０に対して開閉可能となっている。蓋２０の周縁部２２の四隅には、位置決め用の突起２４が形成されており、蓋２０を完全に閉じた状態では、突起２４は筐体本体１０の周縁部１５に形成された位置決め孔１６に進入するようになっている。
【００１４】
筐体本体１０には、図６に示すように、導水経路を構成する奥側内壁面１１、天井面１２、底壁面１３、側部内壁面１４が形成されている。奥側内壁面１１は、筐体本体１０の奥側に位置し垂直面に形成されている。奥側内壁面１１には、支持部材１８を介して電子機器としてのプリント基板１７が支持されている。奥側内壁面１１の上方には、奥側内壁面１１と連なる天井面１２が形成されている。天井面１２は、奥側内壁面１１に向かって下りとなる傾斜面に形成されている。
【００１５】
天井面１２は、図１に示すように、左天井面１２ａと右天井面１２ｂから構成されている。左天井面１２ａは、筐体本体１０の左右方向中央部から左側に延びる面であり、左側に行くにつれて下りとなる傾斜面に形成されている。右天井面１２ｂは、筐体本体１０の左右方向中央部から右側に延びる面であり、右側に行くにつれて下りとなる傾斜面に形成されている。側部内壁面１４は、左側部内壁面１４ａと右側部内壁面１４ｂから構成されている。左側部内壁面１４ａは、左天井面１２ａの下端から下方に延びる垂直面に形成されている。右側部内壁面１４ｂは、右天井面１２ｂの下端から下方に延びる垂直面に形成されている。
【００１６】
底壁面１３は、左底面１３ａと右底面１３ｂから構成されている。左底面１３ａは、側部内壁面１４ａの下端から筐体本体１０の左右方向中央部に向かって下りとなる傾斜面に形成されている。右底面１３ｂは、側部内壁面１４ｂの下端から筐体本体１０の左右方向中央部に向かって下りとなる傾斜面に形成されている。左底面１３ａの下端部と右底面１３ｂの下端部が接近する部位は、水溜り部１７に形成されている。水溜り部１７は、筐体本体１０の内部の最も低い位置に形成されており、後述する連通路２７に向かって下りとなる傾斜面に形成されている。
【００１７】
図１に示すように、蓋２０の周縁部２２の内側には、導水経路を構成する奥側内壁面２１と、天井面２２ａ、２２ｂと、側部内壁面２２ｃ、２２ｄと、底壁面２２ｅ、２２ｆが形成されている。奥側内壁面２１は、蓋２０の中央部に位置し垂直面に形成されている。周縁部２２の内側の上部には、奥側内壁面２１と連なる天井面２２ａ、２２ｂが形成されている。天井面２２ａは、蓋２０の左右方向中央部から左側に延びる面であり、左側に行くにつれて下りとなる傾斜面に形成されている。天井面２２ｂは、蓋２０の左右方向中央部から右側に延びる面であり、右側に行くにつれて下りとなる傾斜面に形成されている。
【００１８】
側部内壁面２２ｃは、天井面２２ａの下端から下方に延びる垂直面に形成されている。側部内壁面２２ｄは、天井面２２ｂの下端から下方に延びる垂直面に形成されている。底面２２ｅは、側部内壁面２２ｃの下端から蓋２０の左右方向中央部に向かって下りとなる傾斜面に形成されている。底面２２ｆは、側部内壁面２２ｄの下端から蓋２０の左右方向中央部に向かって下りとなる傾斜面に形成されている。底面２２ｅの下端部と底面２２ｆの下端部が接近する部位は、水溜り部２６に形成されている。水溜り部２６は、蓋２０の内部の最も低い位置に形成されており、後述する連通路２７に向かって下りとなる傾斜面に形成されている。
【００１９】
蓋２０には、筐体１の内部に生じた結露による水Ｗ１、Ｗ２を筐体１の外部へ排出させる連通路２７が形成されている。連通路２７は、蓋２０の周縁部２２の下部に位置しており、蓋２０を閉じた状態では、図７に示すように、筐体本体１０の周縁部１５の下部と対向するようになっている。連通路２７は、図２に示すように、第一の溝２７ａ、２７ｂ、２７ｃ、２７ｄと、第二の溝２７ｅ、２７ｆ、２７ｇ、２７ｈ、２７ｉ、２７ｊと、を有している。連通路２７の上端は、水平方向に延びる第一の分配溝２７１に形成されている。第一の溝２７ａ、２７ｂ、２７ｃ、２７ｄは、水平方向に所定の間隔をもって配置されており、上端が分配溝２７１に接続されている。
【００２０】
第一の溝２７ａ、２７ｂ、２７ｃ、２７ｄは、クランク状に屈曲しており、下端は水平方向に延びる第二の分配溝２７２に接続されている。第一の溝２７ａ、２７ｂ、２７ｃ、２７ｄは、毛細管現象が生じる程度に流路断面積が狭小となっており、水溜り部１７、２６に溜まった水Ｗ１、Ｗ２は毛細管現象によって第二の分配溝２７２側に移動するようになっている。ここで、第一の溝２７ａ、２７ｂ、２７ｃ、２７ｄは、第一の分配溝２７１および第二の分配溝２７２に対して並列に接続されているので、第一の溝２７ａ、２７ｂ、２７ｃ、２７ｄのそれぞれの流路断面積が狭小であっても、連通路２７全体としては、流路断面積を十分に確保することができ、筐体１内に生じた結露による水Ｗ１、Ｗ２を外部に確実に排出させることが可能となっている。
【００２１】
第二の溝２７ｅ、２７ｆ、２７ｇ、２７ｈ、２７ｉ、２７ｊは、第二の分配溝２７２の下方に位置しており、上端が第二の分配溝２７２に接続されている。第二の溝２７ｅ、２７ｆ、２７ｇ、２７ｈ、２７ｉ、２７ｊは、上下方向に延びており、下端が筐体１の外部に開口している。第二の分配溝２７２および第二の溝２７ｅ、２７ｆ、２７ｇ、２７ｈ、２７ｉ、２７ｊは、溝幅が第一の分配溝２７１および第一の溝２７ａ、２７ｂ、２７ｃ、２７ｄよりも広く形成されており、流路断面積が第一の分配溝２７１および第一の溝２７ａ、２７ｂ、２７ｃ、２７ｄよりも大となっている。第二の分配溝２７２側に排出された水Ｗ１、Ｗ２は、第二の分配溝２７２に対して並列に接続された第二の溝２７ｅ〜２７ｊを介して筐体１の外部に排出されるようになっている。
【００２２】
上述のように、連通路２７は、第一の溝２７ａ〜２７ｄと、第二の溝２７ｅ〜２７ｊと、第一の分配溝２７１と、第二の分配溝２７２から構成されているが、毛細管現象を生じさせる流路断面積が狭小な第一の溝２７ａ〜２７ｄが結露による水Ｗ１、Ｗ２を積極的に下方に移動させる機能を有しており、連通路２７を第一の溝２７ａ〜２７ｄのみから構成することも可能である。
【００２３】
蓋２０には、周縁部２２に沿って延びるパッキン２３が取付けられている。図８に示すように、蓋２０の四隅に設けられたボルト２８によって蓋２０を完全に閉じた状態では、パッキン２３は筐体本体１０の周縁部１５と密着し、蓋２０と筐体本体１０との間をシールするようになっている。ここで、筐体１内に生じた結露による水Ｗ１、Ｗ２を連通路２７によって外部に排出させるために、連通路２７はパッキン２３が設けられていない位置に配置されている。すなわち、パッキン２３は、水Ｗ１、Ｗ２の排出経路を確保するために環状に形成されておらず、一端部２３ａが連通路２７の左側近傍まで延びるように形成されており、他端部２３ｂが連通路２７の左側近傍まで延びるように形成されている。
【００２４】
つぎに、筐体１における排水構造の作用について説明する。
【００２５】
外気温が低下すると筐体１の内部の水分が凝縮し、筐体本体１０の内壁面に結露による水Ｗ１が生じるとともに、蓋２０の内壁面にも結露による水Ｗ２が生じる。筐体本体１０には、導水経路を構成する奥側内壁面１１、天井面１２、底壁面１３、側部内壁面１４が形成されているので、図６に示すように、結露による水Ｗ１はこれらの壁面に沿って流下し、水溜り部１７に導かれる。すなわち、天井面１２および底壁面１３は傾斜面に形成されており、奥側内壁面１１および側部内壁面１４は垂直面に形成されているので、各壁面に付着した結露による水Ｗ１は自重によって下方に移動することになり、水溜り部１７に導かれる。
【００２６】
蓋２０には、導水経路を構成する奥側内壁面２１、天井面２２ａ、２２ｂ、底壁面２２ｅ、２２ｆ、側部内壁面２２ｃ、２２ｄが形成されているので、結露による水Ｗ２はこれらの壁面に沿って流下し、水溜り部２６に導かれる。すなわち、天井面２２ａ、２２ｂおよび底壁面２２ｅ、２２ｆは傾斜面に形成されており、奥側内壁面２１および側部内壁面２２ｃ、２２ｄは垂直面に形成されているので、各壁面に付着した結露による水Ｗ２は自重によって下方に移動することになり、水溜り部２６に導かれる。
【００２７】
筐体１内の下部は、水溜り部１７および水溜り部２６によってＶ字状となっているので、流下してきた水Ｗ１と水Ｗ２は水溜り部１７および水溜り部２６に溜まることになる。ここで、図７に示すように、蓋２０が閉じられた状態では、水溜り部１７および水溜り部２６との間に隙間Ｓが形成されるので、水溜り部１７および水溜り部２６に溜まった水Ｗ１、Ｗ２は隙間Ｓを介して下方の連通路２７に流入する。
【００２８】
連通路２７は、上端に第一の分配溝２７１が位置しているので、水溜り部１７および水溜り部２６からの水Ｗ１、Ｗは、第一の分配溝２７１に流入し、その後、下方に位置する第一の溝２７ａ〜２７ｄに流入する。第一の溝２７ａ〜２７ｄは、流路断面積が狭小となっているので、第一の分配溝２７１に流入した水Ｗ１、Ｗ２は、毛細管現象によって第一の溝２７ａ〜２７ｄ内を下方に向かって移動することになる。そして、第一の溝２７ａ〜２７ｄを通過した水Ｗ１、Ｗ２は、第二の分配溝２７２に流入し、第二の溝２７ｅ〜２７ｊを介して筐体１の外部に排出される。
【００２９】
ここで、第二の分配溝２７２および第二の溝２７ｅ〜２７ｊは、第一の溝２７ａ〜２７ｄに比べて溝幅が広くなっているので、水Ｗ１、Ｗ２の外部への排出は円滑かつ確実に行われる。また、外気温などの上昇により筐体１内の圧力が外気よりも高くなっている状態では、圧力により筐体１内に溜まった水Ｗ１、Ｗ２が連通路２７を介して押出されることになり、水Ｗ１、Ｗ２を積極的に外部に排出させることが可能となる。
【００３０】
外気温の変化により筐体１内の圧力が外気Ａ１よりも低下した場合は、図４に示すように、圧力差によって外気Ａ１が連通路２７の各溝を介して筐体１内に流入する。すなわち、この場合は、連通路２７に残留している水Ｗ１、Ｗ２が圧力差によって筐体１内に逆流するとともに、外部から連通路２７内へ外気Ａ１が流入し、筐体１内へ外気Ａ１が導入される。この時、外気Ａ１の流入圧力が大きい事が予想できる場合、溝２７ａ〜２７ｄと分配溝２７２と溝２７ｅ〜２７ｊで流路断面積を変えることにより流入圧力を緩衝し、筐体内に逆流した水の吹き上がりを効果的に防止できる。
【００３１】
このように、筐体１内の圧力の変化により、連通路２７は水Ｗ１、Ｗ２の外部への排出および外気Ａ１の筐体１内への導入を行うことになり、連通路２７の各溝２７ａ〜２７ｊおよび各分配溝２７１、２７２は呼吸溝として機能する。そして、筐体１内に生じた結露による水Ｗ１、Ｗ２を第一の溝２７ａ〜２７ｄによる毛細管現象により外部に排出させるようにしているので、筐体１内の水Ｗ１、Ｗ２の排出を積極的に行うことが可能となり、筐体１内の電子機器であるプリント基板１７の劣化や障害を防止することができる。
【００３２】
また、第一の溝２７ａ〜２７ｄの流路断面積は、毛細管現象が生じる程度に狭小になるので、筐体１内への水の吹き上がりや害虫の侵入を防止することができる。さらに、連通路２７を溝２７ａ〜２７ｊおよび分配溝２７１、２７２から構成することにより、連通路２７を機械加工や成型などによって容易に形成することができ、製造コストの低減が可能となる。すなわち、毛細管現象を生じさせるような狭小で流路断面積の変化がありかつ屈曲した孔を製作する場合は、製作が非常に難しくなり製造コストが上昇するが、この実施の形態のように、連通路２７を溝２７ａ〜２７ｊおよび分配溝２７１、２７２から構成することにより、機械加工や成型により連通路２７を容易に製作することが可能となる。
【００３３】
さらに、パッキン２３は、水Ｗ１、Ｗ２の排出経路を確保するために環状にする必要がないので、押し出し成型品を使用することが可能となり、製造コストの低減が図れる。
【００３４】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、連通路２７を構成する溝を蓋２０側に形成する構成としたが、筐体本体１０側に連通路２７を構成する溝を形成してもよい。また、連通路２７の第一の溝２７ａ〜２７ｊの形状は、必ずしもクランク状に屈曲させる必要はなく、毛細管現象を生じさせることが可能であれば、この形状に限定されない。
【符号の説明】
【００３５】
１              筐体
１０            筐体本体
１１            奥側内壁面（導水経路）
１２            天井面（導水経路）
１３            底壁面（導水経路）
１４            側部内壁面（導水経路）
１７            水溜り部
２０            蓋
２１            奥側内壁面（導水経路）
２２ａ、２２ｂ  天井面（導水経路）
２２ｃ、２２ｄ  側部内壁面（導水経路）
２２ｅ、２２ｆ  底壁面（導水経路）
２３            パッキン
２６            水溜り部
２７            連通路
２７ａ〜２７ｊ  溝
Ｓ              隙間
Ｗ１、Ｗ２      結露による水
Ａ１            外気
【図１】
2010177616.tif 000003
【図２】
2010177616.tif 000004
【図３】
2010177616.tif 000005
【図４】
2010177616.tif 000006
【図５】
2010177616.tif 000007
【図６】
2010177616.tif 000008
【図７】
2010177616.tif 000009
【図８】
2010177616.tif 000010